(57)【特許請求の範囲】
【請求項１】
ダイナモを有する自転車の一部に取付可能なハウジング(131)と、
前記ハウジング(131)に設けられ、前記ダイナモの出力信号を入力して入力信号を出力するために、前記ダイナモに電気的に接続された入力部分(132)と、
前記ハウジング(131)内部に設けられるとともに前記入力部分(32)に電気的に接続され、前記入力信号を調整するレギュレータ回路(142)と、
前記ハウジング(131)内部に設けられるとともに前記レギュレータ回路(142)に電気的に接続されたランプ(151)と、
前記ハウジング内(131)に設けられるとともに第１部品(151)を自動的にオン・オフするためのセンサを有する自動照明回路（143）と、
前記ハウジング(131)内に設けられるとともに、前記入力部分(132)で受信されたダイナモ出力信号から速度信号を発生するように前記入力部分(132)に電気的に接続されている波形整形回路(144)と、
前記ハウジング(131)内に設けられるとともに、前記レギュレータ回路(142)で調整された信号と前記波形整形回路(144)の速度信号とからコンポジット信号を発生するために、前記波形整形回路(144)と前記レギュレータ回路(142)とに電気的に接続されている制御ユニット(145)と、
前記ハウジング(131)に設けられるとともに前記レギュレータ回路(142)に接続され、前記レギュレータ回路(142)で調整された信号を出力する出力部分(133)と、
を備え、
前記出力部分は少なくとも第１，第２及び第３出力コネクタ(133a,133b,133c)を有し、
前記第１出力コネクタ(133a)は前記自動照明回路(143)に接続される第１部品(151)用の出力部であり、
前記第２出力コネクタ(133b)は前記レギュレータ回路(142)に接続され、前記第２出力コネクタ(133b)に電気的に接続された少なくとも１つの電気部品に前記調整された信号を永続的に出力する出力部であり、
前記第３出力コネクタ(133c)は、前記制御ユニット(145)に接続され、前記コンポジット信号を出力する出力部であり、
前記第１，第２及び第３出力コネクタ(133a,133b,133c)のそれぞれには電気部品が着脱自在である、
自転車用照明装置。
【請求項２】
前記ハウジング内に設けられ、前記ダイナモから送られてきた電力を蓄積する蓄電素子をさらに備えた、請求項１に記載の自転車用照明装置。
【請求項３】
前記蓄電素子は、前記入力部分と前記レギュレータ回路とに電気的に接続されて、蓄積された電力を前記レギュレータ回路に出力する、請求項２に記載の自転車用照明装置。
【請求項４】
前記ハウジング内に設けられた整流回路をさらに備え、
前記整流回路は前記入力部分と前記蓄電素子とに電気的に接続されている、
請求項２に記載の自転車用照明装置。
【請求項５】
少なくとも１つの前記出力コネクタに連結された少なくとも１つの電気部品は、自転車コンピュータを含んでいる、請求項１から４のいずれかに記載の自転車用照明装置。
【請求項６】
少なくとも１つの前記出力コネクタに連結された少なくとも１つの電気部品は、ラジオ、携帯電話用充電器、ページャー、パーソナル・デジタルアシスタント、充電式バッテリー、ランプのいずれか、またはその一部、あるいはそのすべてを含んでいる、請求項１から５のいずれかに記載の自転車用照明装置。
【請求項７】
前記ダイナモは交流を供給するハブダイナモである、請求項１から６のいずれかに記載の自転車用照明装置。
【請求項８】
前記ダイナモは第１接続コードを介して前記入力部分に連結されている、請求項１から７のいずれかに記載の自転車用照明装置。
【請求項９】
少なくとも１つの前記電気部品は、第２接続コードを介して少なくとも１つの前記出力コネクタに連結されている、請求項１から８のいずれかに記載の自転車用照明装置。
【請求項１０】
少なくとも１つの前記電気部品を取り外し自在に装着するために、少なくとも１つの取付部分が前記ハウジングに形成されている、請求項１から９のいずれかに記載の自転車用照明装置。
【発明の詳細な説明】
【技術分野】
【０００１】
本発明は、自転車用照明装置、特に、ダイナモの出力を照明装置に連結された少なくとも１つの電気部品に供給するための、ダイナモに電気的に接続された自転車用照明装置に関する。
【背景技術】
【０００２】
近年、自転車には、ユーザーの多様な要件を満たすために数多くの電気装置が装備されるようになってきている。例としては、照明、ディスプレイ装置、携帯電話用充電器などである。このような自転車では、照明、ディスプレイ装置、携帯電話用充電器などの各々の電気部品に予め決められたレベルの電力を供給する必要がある。それと同時に、これらの部品に対し、前記所定の電力信号を永続的に供給する必要がある。前述の電気部品の各々にバッテリーを利用することも可能ではあるが、バッテリーの利用は、それらを定期的に交換しなければならない点が不便である。また、それらの電気部品のサイズやニーズが増加するに伴い、より早期に交換しなければならなくなる。
【０００３】
したがって、ダイナモから、各々の電気部品に必要な電力を供給する方が著しく有利である。ただし、異なる電気部品が各々必要とする電力は多様であるので、各電気部品に対して個別のダイナモが自転車に装備される。例えば、照明と携帯電話用充電器が設置された自転車には、照明用ダイナモと携帯電話用充電器用ダイナモの両方が自転車に装備される。
【０００４】
従来の自転車では、各々の電気部品が予め決められたレベルの電力を必要とするので、各電気部品に対して個別のダイナモが装備される。
【０００５】
例えば、実用新案登録第３０９４１９７号公報には、携帯電話、ページャー、ラジオグラフ、パーソナル・デジタルアシスタント、充電式バッテリーのうちのいずれかである電気部品がプラグ端子と整流変圧器を介してダイナモに直接連結される電源及び充電装置が開示されている。この１台のダイナモは、ＯＮに切り替わる、すなわち自転車の車輪の接触する際に、そこに連結されている電気部品に電力信号を送る。
【特許文献１】実用新案登録第３０９４１９７号公報
【発明の開示】
【発明が解決しようとする課題】
【０００６】
ところで、電気部品の数が増えるにしたがって、必要なダイナモの数も、複数の電気部品に適合する数でなければならない。そして、複数のダイナモを自転車フレームに取り付けるために必要な設置領域は、自転車の重量の増加に比例して増加する。実際、乗り手が自転車に使用することのできる電気部品の数は限られている。ダイナモは、車輪の回転によって電気を発生するよう設計されているので、ダイナモの数が増えると、乗り手が車輪を回転させてダイナモの発電を引き起こす際に、乗り手への負担も大きくなる。車輪を回転する際の乗り手の負担が大きくなるにしたがって、ダイナモから十分な電力が電気部品に供給されない結果、不安定な状態を生じる可能性が高くなる。
【０００７】
従来の技術において周知であるこれらの欠点の視点から、本発明の１つの目的は、最も効率的かつ場所を取らない方法で、自転車に複数のダイナモを設置することなく、複数の電気部品を１台のダイナモに連結し、ダイナモから複数の電気部品に永続的な安定出力を送ることを可能にすることにある。
【課題を解決するための手段】
【０００８】
本発明に係る自転車用照明装置は、ダイナモに電気的に接続されるものであり、自転車の一部分、特に自転車のヘッドチューブ、フレーム、ハンドルバー等のいずれかに取り付け可能なハウジングを有している。ハウジングには入力部分が設けられており、入力部分は、ダイナモの出力信号を入力し、入力信号を出力するために、ダイナモに電気的に接続される。入力部分には、入力信号を調整するレギュレータ回路が電気的に接続され、レギュレータ回路にはランプが電気的に接続されている。レギュレータ回路及びランプはハウジング内部に設けられている。また、ハウジングには、調整された信号を出力するように、レギュレータ回路に電気的に接続された出力部分が設けられている。出力部分は、少なくとも第１，第２及び第３出力コネクタを有している。第１出力コネクタは、センサからの信号に基づいて光源を自動的にオン、オフするように電力調整する自動照明回路に接続される第１部品用の出力部である。第２出力コネクタはレギュレータ回路に接続され、第２出力コネクタに電気的に接続された少なくとも１つの電気部品に調整された信号を永続的に出力する。第３出力コネクタは、入力部分からの電気信号をパルス信号または速度信号に変換する波形整形回路とレギュレータ回路からの信号を電力信号と速度信号からなるコンポジット信号に変換する制御装置に接続され、コンポジット信号を出力する出力部である。そして、第１，第２及び第３出力コネクタのそれぞれには電気部品が着脱自在である。
【０００９】
本発明の一実施形態では、ハウジング内に、ダイナモの供給する電力を貯えるための蓄電素子が設けられている。蓄電素子は、入力部分とレギュレータ回路とに接続されて、ダイナモがＯＦＦに切り替わった際に、蓄積電力をレギュレータ回路に出力することにより、照明装置の出力部分に電気的に接続された少なくとも１つの電気部品に調整された信号を永続的に供給可能にしている。この場合は、ハウジング内の蓄電素子がハウジングの入力部分からのダイナモ出力を蓄積するので、乗り手が自転車を運転していない場合でさえ、ダイナモからの電力を複数の電気部品に供給可能である。
【００１０】
このような照明装置によって、ダイナモの出力信号がレギュレータ回路に入力されて調整され、この調整された信号が、ランプに連結された複数の電気部品に供給される。ここでは、レギュレータ回路によって、ダイナモ出力信号が複数の電気部品の各々によって使用可能なように調整された後、出力部分から複数の電気部品へと出力される。このため、複数のダイナモを自転車に設置することなく、ダイナモの出力信号が複数の電気部品に安定かつ永続的に搬送可能になる。このような被調整ダイナモ出力信号の永続的な供給によって、特に、携帯電話、ページャー、ラジオ、パーソナル・デジタルアシスタント、充電式バッテリーなどの、あらゆる種類の電気部品が、対応する出力コネクタに取付可能になる。
【００１１】
また、コンポジット信号の永続的な供給によって、特に、自転車の速度を表示する自転車コンピュータなどの、あらゆる種類の電気部品が、対応する出力コネクタに取付可能になる。
【００１２】
ここで、特定の電気部品と少なくとも１つの補助電気部品とから成る複数の電気部品の各々の電気部品は、照明装置の出力部分にある少なくとも１つの電気コネクタに着脱自在に接続される。各々の電気部品は、照明装置に連結されるか、または照明装置から外されてもよく、各々の電気部品が別のものと交換されてもよい。前述のように、調整されたダイナモ信号またはコンポジット信号を出力する出力コネクタに接続される少なくとも１つの電気部品は、自転車コンピュータ、ラジオ、携帯電話、ページャー、パーソナル・デジタルアシスタント（ＰＤＡ）、充電式バッテリー、照明のうちのいずれかであっても、あるいはそれらの組合せであってもよい。勿論、前述のもの以外の電気部品を前記照明装置の前記出力部分に連結してもよいことは、本開示から本技術に精通するものには明らかである。
【００１３】
この点については、電気部品を出力部分に直接接続するか、または電気部品を照明装置のハウジング上に配置された、対応する取付部分に着脱自在に装着することができる。さらに、少なくとも１つの電気部品を照明装置とは別個に、例えば自転車のフレームまたはハンドルバーなどに取り付けるために、電気部品が第２接続コードによって脱着自在に装着されてもよい。
【００１４】
本発明のさらに別の実施形態においては、永続的な電力信号を供給するために、前輪のハブに設けられたハブダイナモが、照明装置に供給する電力を生成するよう使用される。ハブダイナモは、第１接続コードを介して入力部分に電気的に接続される。勿論、電力を照明装置に永続的に供給するのに適したその他のすべてのダイナモが、本発明の開示に適用可能である。
【発明の効果】
【００１５】
本発明によると、複数の電気部品の各々によって出力が使用可能になるよう、レギュレータ回路がダイナモの出力信号を調整した後、レギュレータ回路にて調整された出力信号が複数の電気部品に供給される。これにより、最も効率的かつ場所を取らない方法で、自転車に複数のダイナモを設置することなく、照明装置に連結された複数の電気部品に、ダイナモの安定かつ永続的な出力が供給される。
【発明を実施するための最良の形態】
【００１６】
［参考例］
図１に示すように、本発明の参考例による自転車は、フロントサスペンション及びリアサスペンションを有するマウンテンバイクである。自転車は、ヘッドチューブ１１を備え、リアサスペンション１３の装着された、フレーム本体２と、フロントサスペンション１４の装着されたフロントフォーク３とを有するフレーム１を有している。フロントフォーク３には、ハブダイナモ１０の設置された前輪６が取り付けられ、自転車フレーム１の後部には、後輪７が設置される。駆動部分５は、フロントディレイラー及びリアディレイラー８，９と、フロント及びリアディレイラー８，９及び複数の電気部品５０を取り付けるための照明装置３０を含む、様々な部品を制御するためのコントローラ（図示せず）とを備えている。
【００１７】
フレーム１のフレーム本体２は不規則形の溶接管で構成されている。フレーム本体２には、サドル１８及び駆動部分５を含む、様々な部品が取り付けられる。フロントフォーク３は、斜めに傾いた軸を中心に旋回するよう、フレーム本体２の前方に設置される。
【００１８】
図２に示すように、ハンドルバー部分４はハンドルバー・ステム１２を有し、ハンドルバー・ステム１２はフロントフォーク３の上端に付着される。ハンドルバー１５の両端には、各々ブレーキレバー１６及びグリップ１７が設置される。ブレーキレバー１６の取付領域には、フロントディレイラー及びリアディレイラー８，９を手動でシフトするためのシフトスイッチ２０ｂ，２０ａが取り付けられる。
【００１９】
前輪６のハブダイナモ１０は、ディスクブレーキの制動ディスク６０が設置可能なハブである。ハブダイナモ１０の内部には、前輪の回転により電流を発生する交流発電機（図示せず）が収容されている。交流発電機は、第１接続コード６６を介して、照明装置としてのヘッドライト・アセンブリ３０に接続される。後輪には、多段ギアを備えたフリーホイールが装備されている。
【００２０】
駆動部分５は、フレーム本体２の下方部分（ハンガー部分）に配置されて、フロントディレイラー８と、リアディレイラー９と、例えば、９枚のスプロケットを備えた多段ギアとを有している。クランク２７は、例えば、３枚のスプロケットを備えたギアクランク２７ａと、左クランク２７ｂとを有している。また、駆動部分５は、ギアクランク２７ａ及び多段ギアのいかなるスプロケットとも係合可能なチェーン２９を有している。この種の駆動部分においては、シフトスイッチ２０ａまたは２０ｂが作動されると、シフトスイッチ２０ａまたは２０ｂからの制御信号がコントローラ（図示せず）によって処理される。次にギアクランク２７ａ及び多段ギアのスプロケットに係合するチェーン２９が、ギアクランク２７ａ及び多段ギアの別のスプロケットに案内される。
【００２１】
照明装置３０は、電力または電気信号などの出力を、ハブダイナモ１０の交流発電機から、複数の電気部品へ供給する部品である。図２及び図３に示すように、照明装置３０は、ハウジング３１と、入力部分３２と、出力部分３３とを有している。ハウジング３１には、取付部材（図示せず）が装着される。この取付部材によって、ハウジング３１がヘッドチューブ１５に脱着自在に取り付けられる。入力部分３２はハウジング３１に配置されて、第１接続コード６６が接続される。第１接続コード６６は、入力部分３２と交流発電機１９とを接続する。出力部分３３はハウジング３１に配置されており、第１から第４出力コネクタ３３ａ，３３ｂ，３３ｃ，３３ｄを有している。
【００２２】
図３に示すように、照明装置３０内には、整流回路４０と、蓄電素子４１と、レギュレータ回路４２と、自動照明回路４３とが収容されている。整流回路４０は、交流発電機から入力部分３２に入力された交流電力を直流電力に変換する。整流回路４０により変換された直流電力は、整流回路４０によって蓄電素子４１に出力される。蓄電素子４１は、整流回路４０によって変換された直流電力を貯える、例えば、大容量コンデンサである。蓄電素子４１が、コンデンサではなく、ニッケルカドミウム電池、リチウムイオン電池、ニッケル水素電池などの二次電池で構成されてもよい。蓄電素子４１によって蓄積された直流電力は、蓄電素子４１によってレギュレータ回路４２に供給される。
【００２３】
以下に説明するように、レギュレータ回路４２は、電力が複数の電気部品５０（ランプ５１、ラジオ５２、携帯電話用充電器５３、パーソナル・デジタルアシスタント５４）の各々によって使用可能になるように、電力を予め決められた量に調整する。レギュレータ回路４２は、蓄電素子４１により供給された直流電圧を予め決められた電圧に調整し、それを第１出力コネクタ３３ａと、第２出力コネクタ３３ｂと、第３出力コネクタ３３ｃと、第４出力コネクタ３３ｄと、自動照明回路４３とに供給する回路である。このレギュレータ回路４２では、蓄電素子４１の供給する直流電圧が、例えば、１．２Ｖ、３．０Ｖ、３．５Ｖ、３．７Ｖに調整される。１．２Ｖ直流電力は第１出力コネクタ３３ａに、３．０Ｖ直流電力は第２及び第３出力コネクタ３３ｂ，３３ｃに、３．７Ｖ直流電力は第４出力コネクタ３３ｄに、３．５Ｖ直流電力は自動照明回路４３に、各々出力される。自動照明回路４３は、センサ（図示せず）からの信号に基づいて、光源を自動的にオン・オフするよう電力調整するように装備されている。自動照明回路４３は、レギュレータ回路４２からの直流電力を制御して、自動照明回路４３に直結された第１出力コネクタ３３ａとランプ５１とに出力する。レギュレータ回路４２及び自動照明回路４３で、このような方法によって調整された電力は、第１から第４出力コネクタ３３ａ，３３ｂ，３３ｃ，３３ｄから様々な電気部品５０に供給される。
【００２４】
図２に示すように、複数の電気部品５０には、例えば、ランプ５１、ラジオ５２、携帯電話用充電器５３、パーソナル・デジタルアシスタント（ＰＤＡ）５４、ページャー（図示せず）が含まれる。複数の電気部品５０の各々は、複数の電気部品５０の各々に対応する出力コネクタ３３ａ〜３３ｄに脱着自在に接続する第２接続コード７５を介して照明装置３０に脱着自在に取り付けられる。
【００２５】
ランプ５１と、携帯電話用充電器５３と、パーソナル・デジタルアシスタント（ＰＤＡ）５４とは、ハンドルバー１５上に脱着自在に取り付けられる。ラジオ５２は、様々な帯域（ＡＭ，ＦＭなど）や周波数の表示能力を備えた液晶ディスプレイ部分５２ｂを有している。また、ラジオ５２は、様々な帯域及び周波数を選択するための制御ボタン５２ｃと、音量調整ノブ５２ｄとを備えている。各々の第２接続コード７５の一端は、ランプ５１と、携帯電話用充電器５３と、パーソナル・デジタルアシスタント（ＰＤＡ）５４とに各々接続される。ランプ５１用の第２接続コード７５の他端は、第１出力コネクタ３３ａに脱着自在に接続され、携帯電話用充電器５３用の第２接続コード７５の他端は、第３出力コネクタ３３ｃに脱着自在に接続され、パーソナル・デジタルアシスタント（ＰＤＡ）５４用の第２接続コード７５の他端は、第４出力コネクタ３３ｄに脱着自在に接続される。このような構成では、ランプ５１と、携帯電話用充電器５３と、パーソナル・デジタルアシスタント（ＰＤＡ）５４とが、各々第２接続コード７５を介して、照明装置３０の出力部分３３に着脱自在に接続される。ランプ５１は、ＯＮ／ＯＦＦスイッチ５１ｃを有し、このＯＮ／ＯＦＦスイッチ５１ｃを用いてオンまたはオフに切り替えることができる。携帯電話用充電器５３は、携帯電話を充電するための充電端子（図示せず）を有している。携帯電話用充電器５３は、そこに携帯電話が配置されると、携帯電話用充電器５３の充電端子が、携帯電話上に配置された充電端子（図示せず）と接触するように設計されている。また、パーソナル・デジタルアシスタント（ＰＤＡ）５４も、パーソナル・デジタルアシスタント（ＰＤＡ）５４を充電するための充電端子（図示せず）を有している。パーソナル・デジタルアシスタント（ＰＤＡ）用充電器は、そこにパーソナル・デジタルアシスタント（ＰＤＡ）５４が配置されると、パーソナル・デジタルアシスタント（ＰＤＡ）用充電器の充電端子が、パーソナル・デジタルアシスタント（ＰＤＡ）上に配置された充電端子（図示せず）と接触するように設計されている。
【００２６】
前述のように、照明装置３０は、整流回路４０を用いて交流電力を直流電力に変換し、入力部分３２によって直流電力を入力し、ハブダイナモ１０の交流発電機１９によって直流電力を供給する。レギュレータ回路４２では、蓄電素子４１によって供給された直流電力が予め決められた電圧に調整されて、第１から第４出力コネクタ３３ａ，３３ｂ，３３ｃ，３３ｄに出力される。このようにレギュレータ回路４２で調整された電力信号は、第１〜第４出力コネクタ３３ａ，３３ｂ，３３ｃ，３３ｄから、複数の電気部品５０へ出力される。このような照明装置が使用される際、ハブダイナモ１０からの電力信号は、レギュレータ回路４２内で、個々の電気部品５０が使用可能な電力信号に調整される。レギュレータ回路４２によって調整された電力信号は、続いて第１〜第４出力コネクタ３３ａ，３３ｂ，３３ｃ，３３ｄによって、複数の電気部品５０に供給可能となる。このような構成では、ハブダイナモ１０からの電力信号が、複数の電気部品５０に安定的に供給可能である。
【００２７】
［実施形態］
図４は、本発明による照明装置３０の実施形態を示している。図４の照明装置１３０は、波形整形回路１４４がハウジング１３１内に配置されて、入力部分１３２に接続されている点、及び制御ユニット１４５がハウジング内に配置されて、波形整形回路１４４とレギュレータ回路１４２とに接続されている点を除き、図３の照明装置と同様の構成である。
【００２８】
照明装置１３０は、ハブダイナモ１０の交流発電機から複数の電気部品１５０に、電力信号または電気信号などの出力を供給するための部品である。図４に示すように、本照明装置１３０は、ハウジング１３１と、入力部分１３２と、出力部分１３３とを有している。ハウジング１３１には、取付部材（図示せず）が装着される。この取付部材によって、ハウジング１３１がハンドルバー１５に着脱自在に取り付けられる。入力部分１３２はハウジング１３１に配置されて、第１接続コード６６が入力部分１３２に接続される。第１接続コード６６は入力部分１３２を交流発電機に接続する。出力部分１３３はハウジング１３１に配置されており、第１から第４出力コネクタ１３３ａ，１３３ｂ，１３３ｃ，１３３ｄを有している。
【００２９】
図４に示すように、照明装置１３０内には、整流回路１４０と、蓄電素子１４１と、レギュレータ回路１４２と、自動照明回路１４３とが収容されている。整流回路１４０は、交流発電機１９から入力部分１３２に入力された交流電力を直流電力に変換する。整流回路１４０により変換された直流電力は、整流回路１４０によって蓄電素子１４１を充電するように出力される。蓄電素子１４１は、整流回路１４０によって変換された直流電力を貯える、例えば、大容量コンデンサである。蓄電素子１４１が、コンデンサではなく、ニッケルカドミウム電池、リチウムイオン電池、ニッケル水素電池などの二次電池で構成されてもよい。以下に説明するように、蓄電素子１４１によって蓄積された直流電力は、蓄電素子４１によってレギュレータ回路４２のレギュレータ回路に供給される。
【００３０】
レギュレータ回路１４２は、以下に説明するように、電力が複数の電気部品１５０（ランプ１５１、ラジオ１５２、自転車コンピュータ１５３、携帯電話用充電器１５４）の各々によって使用可能になるように、電力、信号、その他同様のものを予め決められた量に調整する。波形整形回路１４４は入力部分１３２に接続されている。レギュレータ回路１４２は、蓄電素子１４１により供給された直流電圧を予め決められた電圧に調整し、それを第１出力コネクタ１３３ａと、第２出力コネクタ１３３ｂと、自動照明回路１４３と、制御装置１４５とに供給する。このレギュレータ回路１４２では、蓄電素子１４１の供給する直流電圧が、例えば、１．２Ｖ、３．０Ｖ、３．５Ｖ、３．７Ｖに調整される。１．２Ｖ直流電力は第１出力コネクタ１３３ａに、３．０Ｖ直流電力は第２出力コネクタ３３ｂに、３．５Ｖ直流電力は自動照明回路１４３に、３．５Ｖ直流電力は制御装置１４５に、各々出力される。波形整形回路１４４は、入力部分１３２に供給される、交流発電機１９からの電気信号（正弦波）をパルス信号（方形波）または速度信号に変換する。この速度信号は、波形整形回路１４４から制御装置１４５に出力される。自動照明回路１４３は、センサ（図示せず）からの信号に基づいて、光源を自動的にオン・オフするよう電力調整するように装備されている。自動照明回路１４３は、レギュレータ回路１４２からの直流電力を制御して、自動照明回路１４３に直結された第１出力コネクタ１３３ａとランプ１５１とに出力する。制御装置１４５は、レギュレータ回路１４２からの電力信号と、波形整形回路１４４からの速度信号とを受信し、電力及び電気信号を、電力信号と速度信号とから成るコンポジット信号に変換する。コンポジット信号は、制御ユニット１４５によって、第３及び第４出力コネクタ１３３ｃ，１３３ｄに供給される。このような方法により、レギュレータ回路１４２及び自動照明回路１４３内で調整された電力信号及び電気信号は、第１及び第２出力コネクタ１３３ａ，１３３ｂによって、様々な電気部品１５０に供給される。
【００３１】
図４に示すように、複数の電気部品１５０には、例えば、ランプ１５１、ラジオ１５２、自転車コンピュータ１５３、携帯電話用充電器１５４が含まれる。複数の電気部品１５０の各々は、複数の電気部品１５０の各々に対応する出力コネクタ１３３ａ〜１３３ｄに着脱自在に接続する第２接続コード１７５を介して、照明装置１３０に着脱自在に取り付けられる。
【００３２】
ランプ１５１と、ラジオ１５２と、携帯電話用充電器１５４とは、前記の参考例に関して言及された部品と一致する。したがって、これらの部品に関する詳細は、以下に示す自転車コンピュータ１５３の詳細を除き、ここでは再度説明しない。
【００３３】
図５の自転車コンピュータ１５３は、様々な種類の走行情報を表示する能力を備えた液晶表示部１５３ｂを有している。自転車コンピュータ１５３の内部には、マイクロコンピュータを有する制御部分１５３ｃが収容されている。この制御部分１５３ｃは、第３出力コネクタ１３３ｃからのパルス信号に基づき、様々な種類の走行情報（例えば、走行速度または走行距離）を導出し、様々な種類の走行情報を液晶表示部１５３ｂに表示させる。
【００３４】
前述のように、照明装置１３０は、整流回路１４０を用いて交流電力を直流電力に変換し、ハブダイナモ１０の交流発電機１９によって入力部分１３２に入力させて、直流電力を供給する。レギュレータ回路１４２のレギュレータ回路では、蓄電素子１４１によって供給された直流電力が予め決められた電圧に調整されて、各々、第１及び第２出力コネクタ１３３ａ，１３３ｂと、自動照明回路１４３と、制御ユニット１４５とに出力される。また、照明装置１３０は、波形整形回路１４４によって、ハブダイナモ１０の交流発電機１９から入力部分１３２に供給された電気信号（正弦波）をパルス信号（方形波）または速度信号に変換する。この速度信号は、波形整形回路１４４から制御ユニット１４５に出力される。制御ユニット１４５は、レギュレータ回路１４２からの電力信号と波形整形回路１４４からの速度信号とを受信し、電力及び電気信号を電力信号と速度信号とから成るコンポジット信号に変換する。コンポジット信号は、制御装置によって、第３及び第４出力コネクタ１３３ｃ，１３３ｄに供給される。このような方法により、照明装置１３０内で調整された電力信号及び電気信号は、第１〜第４出力コネクタ１３３ａ，１３３ｂ，１３３ｃ，１３３ｄから様々な電気部品１５０へ出力される。このような照明装置１３０が使用される際、ハブダイナモ１０からの電力信号及び電気信号は、照明装置１３０内で、個々の電気部品５０が使用可能な電力信号及びコンポジット信号に調整される。このような構成配置では、ハブダイナモ１０からの電力信号及び電気信号が、複数の電気部品１５０に安定的に供給可能である。
【図面の簡単な説明】
【００３５】
【図１】本発明による自転車の側面図。
【図２】ハンドルバー部分の外観斜視図。
【図３】本発明の参考例による照明装置の内部配置を示すブロック図。
【図４】本発明の実施形態による照明装置の内部配置を示すブロック図。
【図５】本発明の実施形態による自転車コンピュータの内部配置を示すブロック図。
【符号の説明】
【００３６】
１０  ダイナモ
３１，１３１  ハウジング
３２，１３２  入力部分
３３，１３３  出力部分
３３ａ〜ｄ，１３３ａ〜ｄ  出力コネクタ
４０，１４０  整流回路
４１，１４１  蓄電素子
５２，５３，５４，１５２，１５３，１５４  電気部品
６６  第１接続コード
７５，１７５  第２接続コード
１４４  波形整形回路
１４５  制御ユニット
【図１】
0004476249.tif 000002
【図２】
0004476249.tif 000003
【図３】
0004476249.tif 000004
【図４】
0004476249.tif 000005
【図５】
0004476249.tif 000006